(57)【要約】【課題】片手で気軽に楽しめる玩具を提供する。【解決手段】フィンガーグリップ１は、トーションばね２と、トーションばね２の各アーム２１、２２の端部に配置され、それぞれ少なくとも１本の指で把持され、トーションばね２の開閉方向に近接または離間可能なメインプレート３ａ、３ｂと、各アーム２１、２２に係合し、アーム２１、２２の基部と端部との間を移動するストッパー４と、を有する。【選択図】図１
0003223772.tif 000002
【実用新案登録請求の範囲】
【請求項１】
トーションばねと、
前記トーションばねの各アーム端部に配置され、それぞれ少なくとも１本の指で把持され、前記トーションばねの開閉方向に近接または離間可能な第１の部材および第２の部材と、
前記各アームに係合し、該アームの基部と端部との間を移動するストッパーと、
を有することを特徴とするフィンガーグリップ。
【請求項２】
前記第１の部材および第２の部材の、前記トーションばねの開閉方向以外への移動を規制するガイドをさらに有する請求項１に記載のフィンガーグリップ。
【請求項３】
前記ガイドは板状をなし、一方の端部が前記トーションばねの巻部に挿通される円筒状のグリップ軸の端部に配置され、他方の端部が前記第１の部材または第２の部材のうちの少なくとも一方の側部に配置される請求項２に記載のフィンガーグリップ。
【請求項４】
前記第１の部材および前記第２の部材の少なくとも一方の当接部に緩衝部材が配置されている請求項１ないし２のいずれかに記載のフィンガーグリップ。
【考案の詳細な説明】
【技術分野】
【０００１】
本考案はフィンガーグリップに関する。
【背景技術】
【０００２】
手持ちぶさたのとき等に、手先で気軽に使用できる器具が知られている。例えば、ハンドスピナーが知られている。
【先行技術文献】
【特許文献】
【０００３】
【特許文献１】登録実用新案第３２１２４３０号公報
【考案の概要】
【考案が解決しようとする課題】
【０００４】
ハンドスピナーは、片手で回し続けるのは難しい。また、ハンドスピナーは回転するため、回転時には摩擦音が発生する。この摩擦音は、時として周りの者にノイズとして聞こえる場合がある。
１つの側面では、本考案は、片手で気軽に楽しめる玩具を提供することを目的とする。
【課題を解決するための手段】
【０００５】
上記目的を達成するために、開示のフィンガーグリップが提供される。このフィンガーグリップは、トーションばねと、トーションばねの各アーム端部に配置され、それぞれ少なくとも１本の指で把持され、トーションばねの開閉方向に近接または離間可能な第１の部材および第２の部材と、各アームに係合し、該アームの基部と端部との間を移動するストッパーと、を有している。
【考案の効果】
【０００６】
１態様では、片手で気軽に楽しめる玩具を提供することができる。
【図面の簡単な説明】
【０００７】
【図１】実施の形態のフィンガーグリップを示す図である。
【図２】実施の形態のフィンガーグリップを示す図である。
【図３】ストッパーの機能を説明する図である。
【図４】実施の形態のメインプレートを説明する図である。
【図５】実施の形態のねじを説明する図である。
【図６】実施の形態のサイドプレートを説明する図である。
【図７】実施の形態のグリップ軸を説明する図である。
【図８】使い方の一例を説明する図である。
【図９】使い方の一例を説明する図である。
【考案を実施するための形態】
【０００８】
以下、実施の形態のフィンガーグリップを、図面を参照して詳細に説明する。
＜実施の形態＞
図１および図２は、実施の形態のフィンガーグリップを示す図である。
第１の実施の形態のフィンガーグリップ１は、例えば図２に示すように親指と人差し指で把持して開閉して玩具として楽しむものである。
【０００９】
フィンガーグリップ１は、フックが無いトーションばね（弾性部材）２と、メインプレート３ａ、３ｂと、ストッパー４と、グリップ軸５と、サイドプレート６ａ、６ｂとを有している。メインプレート３ａ、３ｂはそれぞれ第１の部材および第２の部材の一例である。
フィンガーグリップ１の構成材料としては、後述する緩衝部材を除いて例えば金属製のものが挙げられる。
トーションばね２としては、例えば株式会社アキュレイトの製品番号Ｔ０７１Ａが挙げられる。
【００１０】
トーションばね２と、トーションばね２のアーム２１、２２の両端部が挿入されたメインプレート３ａ、３ｂとはグリップ軸５およびサイドプレート６ａ、６ｂにより支持されている。
【００１１】
メインプレート３ｂの面３ｂ１には、対向するメインプレート３ａの面が接触したときに衝撃を受け止める緩衝部材７が例えば接着により配置されている。緩衝部材７の構成材料としては、例えば樹脂が挙げられる。
トーションばね２は、メインプレート３ａ、３ｂを、互いに離間する方向に付勢している。
【００１２】
ストッパー４は、例えばＳ字状をなす長尺物であり、アーム２１、２２に係合している。このストッパー４は位置を変えることでトーションばね２の開度を調整する機能を有している。すなわち、ストッパー４は、アーム２１、２２の端部に移動するにつれてトーションばね２の開度を小さくする。また、アーム２１、２２の基部（巻き線側）に最も移動した状態において、トーションばね２が一定以上開きすぎないように開きを規制している。また、ストッパー４は、フィンガーグリップ１を使用しないときにフィンガーグリップ１をコンパクトに収容させる機能を有している。ストッパー４の形状は図示のものに限定されず、例えば楕円形でもよい。
図３は、ストッパーの機能を説明する図である。
【００１３】
図３に示すように、ストッパー４をメインプレート３ａ、３ｂに近接させることにより、トーションばね２の付勢に逆らってメインプレート３ａ、３ｂ同士を近接させることができる。また、メインプレート３ａ、３ｂに接触する位置にストッパー４を配置することで、ストッパー４がトーションばね２の付勢により支持される。これによりフィンガーグリップ１をコンパクトに収容することができる（以下、図３に示すストッパー４の位置を「ホールド位置」と言う）。
グリップ軸５は、トーションばね２の巻部に挿通されている。
【００１４】
図４は、実施の形態のメインプレートを説明する図である。図４ではメインプレート３ａを図示しているが、メインプレート３ｂもメインプレート３ａと同じ形状である。図４（ａ）は、メインプレート３ａの正面図であり、図４（ｂ）は、メインプレート３ａの側面図である。
【００１５】
メインプレート３ａは、トーションばね２のアーム２１の端部が圧入される貫通孔３ａ１を有している。また、メインプレート３ａは、サイドプレート６ａをメインプレート３ａに固定するねじが挿入されるねじ穴３ａ２を有している。
図５は、実施の形態のねじを説明する図である。
【００１６】
ねじ８は、ねじ穴３ａ２に圧入される圧入部８１と、ねじ頭８２と、圧入部８１とねじ頭８２との間に段差を形成している段差部８３とを有している。この段差部８３にサイドプレート６ａ、６ｂの後述する孔部が配置される。
なお、ねじ頭８２の形状は図示のものに限らず、例えば六角形等の多角形であってもよい。
【００１７】
図６は、実施の形態のサイドプレートを説明する図である。図６ではサイドプレート６ａを図示しているが、サイドプレート６ｂもサイドプレート６ａと同じ形状である。
図６に示すサイドプレート６ａは、それぞれ両端部に段差部８３の径より若干大きい径を備える孔部６ａ１、６ａ２が配置されている。
【００１８】
サイドプレート６ａは、ねじ８によりメインプレート３ａの側部およびグリップ軸５の端部に取り付けられる。これにより、サイドプレート６ａは、トーションばね２の開閉方向以外への移動を規制するガイドとして機能する。
なお、サイドプレート６ａの端部の形状は円弧状としたが、図示のものに限らず、例えば多角形状であってもよい。
図７は、実施の形態のグリップ軸を説明する図である。図７（ａ）は、グリップ軸５の正面図であり、図７（ｂ）は、グリップ軸５の側面図である。
【００１９】
図７に示すように、グリップ軸５は円柱状であり、中央部には貫通孔５１が形成されている。貫通孔５１はなくてもよい。また、両端部５２、５２には、貫通孔５１よりも径が大きい孔部５３、５３が形成されている。この孔部５３、５３には圧入タイプのねじ８が圧入されている。
次に、フィンガーグリップ１の使い方の一例を説明する。
図８および図９は、使い方の一例を説明する図である。
【００２０】
図３に示すように、ストッパー４がホールド位置に位置しているフィンガーグリップ１において、使用者がメインプレート３ｂを親指で把持し、メインプレート３ａを人差し指で把持してメインプレート３ａとメインプレート３ｂとを近接させると、ストッパー４がホールド位置から外れてグリップ軸５側に移動可能になる。
【００２１】
ストッパー４がホールド位置から外れてグリップ軸５側に移動した状態で使用者がメインプレート３ａとメインプレート３ｂとを近接させる力を弱めると、トーションばね２の付勢により、図９に示すようにメインプレート３ａとメインプレート３ｂとが離間する。
【００２２】
この状態で使用者はハンドグリップのように親指と人差し指でメインプレート３ａとメインプレート３ｂ同士を近接させたり離間させたりすることができる。前述したように、メインプレート３ｂには、メインプレート３ａが接触したときに衝撃を受け止める緩衝部材７が配置されている。このため、メインプレート３ａが緩衝部材７に接触しても金属同士が接触する音に比べて発生する音は小さい。
【００２３】
以上述べたように、フィンガーグリップ１は、トーションばね２と、トーションばね２の各アーム２１、２２の端部に配置され、それぞれ少なくとも１本の指で把持され、トーションばね２の開閉方向に近接または離間可能なメインプレート３ａ、３ｂと、該アーム２１、２２の基部と端部との間を移動し、トーションばね２のアーム２１、２２の端部に移動するにつれてトーションばね２の開度を小さくするストッパー４と、を有する。メインプレート３ａとメインプレート３ｂ同士を近接させたり離間させたりすることで、手持ち無沙汰のときの遊戯に用いたり、握力のトレーニングに用いたりすることができる。
【００２４】
また、フィンガーグリップ１は、メインプレート３ａ、３ｂの、トーションばね２の開閉方向以外への移動を規制するサイドプレート６ａ、６ｂをさらに有する。これにより、利用者は、メインプレート３ａ、３ｂ同士を、より確実に当接させることができる。
【００２５】
なお、本実施の形態ではメインプレート３ａを人差し指で把持し、メインプレート３ｂを親指で把持した。これに限らず、メインプレート３ａを親指で把持し、メインプレート３ｂを人差し指で把持してもよい。さらに、メインプレート３ａ、３ｂは、それぞれ親指と人差し指以外の任意の指で把持してもよい。
【００２６】
以上、本考案のフィンガーグリップを、図示の実施の形態に基づいて説明したが、本考案はこれに限定されるものではなく、各部の構成は、同様の機能を有する任意の構成のものに置換することができる。例えば、本実施の形態ではメインプレート３ａ、３ｂを離間させる弾性体としてトーションばね２を用いた。しかしこれに限らず、他の弾性体を用いてもよい。また、本実施の形態では、ねじ８の圧入によりサイドプレート６ａ、６ｂをメインプレート３ａ、３ｂおよびグリップ軸５に固定した。しかし、これに限らずねじ８にねじ山を設けて螺合（ねじ止め）によりサイドプレート６ａ、６ｂをメインプレート３ａ、３ｂおよびグリップ軸５に固定してもよい。
また、本考案に、他の任意の構成物や工程が付加されていてもよい。
【符号の説明】
【００２７】
１  フィンガーグリップ
２  トーションばね
３ａ、３ｂ  メインプレート
４  ストッパー
５  グリップ軸
６ａ、６ｂ  サイドプレート
７  緩衝部材
８  ねじ
【図１】
0003223772.tif 000003
【図２】
0003223772.tif 000004
【図３】
0003223772.tif 000005
【図４】
0003223772.tif 000006
【図５】
0003223772.tif 000007
【図６】
0003223772.tif 000008
【図７】
0003223772.tif 000009
【図８】
0003223772.tif 000010
【図９】
0003223772.tif 000011